(57)【特許請求の範囲】
【請求項１】
断熱内壁パネルを立設させるための下地の施工構造であって、  一対の板材間に複数の束材が連結されてなる木製下地材の外面側に防湿シートが貼設されるとともに、この防湿シートの外面側であって、木製下地材の枠外に、断熱材が貼設されてなる断熱下地材と、断熱下地材を嵌め込む溝型に形成された金具本体と、梁のフランジ部に固定する固定部材と、金具本体と固定部材とを連結する調整ボルトとを具備した梁固定用金具とを備え、梁の上側のフランジ部に、固定部材を固定させるとともに、金具本体に断熱下地材が嵌め込まれ、調整ボルトの回動具合によって、断熱下地材が、梁上の断熱内壁パネルの施工位置に固定されたことを特徴とする断熱下地材の施工構造。
【請求項２】
断熱内壁パネルを立設させるための下地の施工構造であって、
一対の板材間に複数の束材が連結されてなる木製下地材の外面側に防湿シートが貼設されるとともに、この防湿シートの外面側であって、木製下地材の枠外に、断熱材が貼設されてなる断熱下地材を、基礎上に配置された木根太上に固定したことを特徴とする断熱下地の施工構造。
【発明の詳細な説明】
【０００１】
【発明の属する技術分野】
本発明は、バスコア部、エレベーター部、玄関部、二階吹き抜け部などにおいて、断熱内壁パネルを立設固定するための下地材が無い床の部分に、断熱下地材を施工する施工構造に関するものである。
【０００２】
【従来の技術】
一般に、鉄骨構造の建物において、外壁がカーテンウォール構造をとっているような場合、内壁の施工に当たって、自立した下地材と内壁裏面に密着する断熱材の施工が必要となる。
【０００３】
そこで、図９に示すように、矩形に枠組みした木製下地枠ｂの枠内に断熱材ｃを設けるとともに、この木製下地枠ｂの室内側となる内面側に防湿シートｄを貼設して断熱内壁パネルａを構成し、この断熱内壁パネルａを施工することで、断熱内壁下地を形成することが行われている。
【０００４】
従来より、この断熱内壁パネルａを、床下地の無い部分、例えば、二階吹き抜け部などの空洞となった部分に施工する場合、梁ｅの上側のフランジ部ｆの上面などに、床に相当する厚みの木下地材ｇをボルトｈで固定して下地を施工していた。そして、この木下地材ｇ上に断熱内壁パネルａの木製下地枠ｂの下辺を固定していた。
【０００５】
【発明が解決しようとする課題】
しかし、上記従来のように木下地材ｇを用いて断熱内壁パネルａを固定する場合、この木製下地材ｇの部分が熱橋となってしまい、断熱内壁パネルａによる断熱効果が生かされないといった不都合を生じることとなる。
【０００６】
また、この木製下地材ｇは、断熱内壁パネルａの施工位置に合わせて、あらかじめ位置決め固定しておかなければならないといった不都合を生じることとなる。
【０００７】
本発明は、係る実情に鑑みてなされたものであって、優れた断熱効果が得られるとともに、出入り調整が可能な断熱下地の施工構造を提供することを目的としている。
【０００８】
【課題を解決するための手段】
上記課題を解決するための本発明の断熱下地の施工構造は、断熱内壁パネルを立設させるための下地の施工構造であって、一対の板材間に複数の束材が連結されてなる木製下地材の外面側に防湿シートが貼設されるとともに、この防湿シートの外面側であって、木製下地材の枠外に、断熱材が貼設されてなる断熱下地材と、断熱下地材を嵌め込む溝型に形成された金具本体と、梁のフランジ部に固定する固定部材と、金具本体と固定部材とを連結する調整ボルトとを具備した梁固定用金具とを備え、梁の上側のフランジ部に、固定部材を固定させるとともに、金具本体に断熱下地材が嵌め込まれ、調整ボルトの回動具合によって、断熱下地材が、梁上の断熱内壁パネルの施工位置に固定されたものである。
【０００９】
また、上記課題を解決するための本発明の断熱下地の施工構造は、断熱内壁パネルを立設させるための下地の施工構造であって、一対の板材間に複数の束材が連結されてなる木製下地材の外面側に防湿シートが貼設されるとともに、この防湿シートの外面側であって、木製下地材の枠外に、断熱材が貼設されてなる断熱下地材を、基礎上に配置された木根太上に固定したものである。
【００１０】
【発明の実施の形態】
以下、本発明の実施の形態を図面を参照して説明する。
【００１１】
図１および図２は、断熱下地材１を梁固定用金具２によって梁６の上に施工した状態を示し、図３および図４は同施工に使用される断熱下地材１を示し、図５は同施工に使用される梁下固定用金具２を示している。
【００１２】
すなわち、本発明の施工構造は、断熱下地材１を梁固定用金具２によって梁６の上に固定したものである。
【００１３】
断熱下地材１は、木製下地材１１の外面側に防湿シート１２が貼設されるとともに、この防湿シート１２の外面側であって、木製下地材１１の枠外に、断熱材１３が貼設されている。
【００１４】
木製下地材１１は、２ｍの長さの二本の板材１４の間に複数の束材１５を連結して構成される。束材１５は、木製下地材１１を２５０ｍｍの間隔で設けた切断線Ｌの位置で切断した状態で、この切断された板材１４間を二本の束材１５が安定した状態で支持するように、規則的に配置されている。したがって、木製下地材１１は、２ｍの長さのまま使用しても良いし、必要に応じて２５０ｍｍの間隔毎に切断して使用することもできる。
【００１５】
防湿シート１２は、木製下地材１１の外面側全体に貼設される。この防湿シート１２としては、アルミニウム蒸着したポリエチレン製フィルムを使用することができる。
【００１６】
断熱材１３は、木製下地材１１の外面側に貼設された防湿シート１２のさらに外面側に貼設される。この断熱材１３は、木製下地材１１と略同じ大きさに貼設されるが、断熱下地材１を施工した状態で、木製下地材１１の下側の板材１４と梁６との間隙を充分に被覆することができるように、木製下地材１１の下側の板材１４から、かなり下方にはみ出した状態となるように貼設される。この断熱材１３としては、例えば、フィルム包装された高密度グラスウール製の断熱材１３を使用することができる。この断熱材１３は、木製下地材１１の外面側に当接した状態で、鋲１６によって固定される。この断熱材１３は、２５０ｍｍ間隔で切断できるようになされた木製下地材１１に合わせて、２５０ｍｍ単位毎にフィルム包装したものを使用する。フィルム包装された断熱材１３を使用する場合、少なくとも防湿シート１２に貼設される部分のフィルムを、あらかじめこの防湿シート１２と同材質のものとしておいても良い。この場合、木製下地材１１の外面側に断熱材１３を貼設するだけで、防湿シート１２と断熱材１３との双方を貼設したこととできる。
【００１７】
梁固定用金具２は、図５に示すように、金具本体３と、固定部材４と、調整ボルト５とを具備し、断熱下地材１と梁６とを固定するようになされている。
【００１８】
金具本体３は、対向する挟持片３１、３２とその基端部をつなぐ基端面３３とを溶接一体化した溝型に形成されており、挟持片３１、３２の間に断熱下地材１の木製下地材１１が嵌め込み可能となされている。この金具本体２は、木製下地材１１が嵌め込まれた状態で、室外側に位置することとなる挟持片３１の部分と基端面３３の部分とが厚みのある鋼板を折り曲げて形成されており、室内側に位置することとなる挟持片３２の部分のみが、薄いバネ鋼板によって形成されている。挟持片３２の部分には、釘孔３４が形成され、木製下地材１１が嵌め込まれた状態で、釘孔３４から釘７を打ち付けることによって木製下地材１１と金具本体３とを固定できるようになされている。金具本体３の基端面３３には、突出片３５が延設されている。突出片３５には、調整ボルト５と螺合するネジ孔３６が設けられている。
【００１９】
固定部材４は、厚みのある鋼板を折り曲げて、対向する固定片４１、４１とその基端部をつなぐ基端片４２と、一方の固定片４１から連続し、基端面４２に対向する支持片４３とを有する断面略矩形状に形成されている。この折り曲げ状態で基端片４２の上方から支持片４３の方向に向けて挟持片４４が延設されている。この挟持片４４は、固定片４１、４１および支持片４３の上端部との間で、梁６のフランジ部６１を挟持固定するようになされている。基端片４２と支持片４３とには、ボルト孔４５が設けられている。
【００２０】
調整ボルト５は、固定部材４の基端片４２のボルト孔４５から挿通されて、金具本体３の突出片３５のネジ孔３６に螺合し、固定部材４の支持片４３のボルト孔４５に貫通するようになされている。そして、この支持片４３のボルト孔４５を貫通した位置でナット５１に螺合するようになされている。ただし、このナット５１は、調整ボルト５の抜け止めを意図したものであるため、調整ボルト５を回動させても基端片４２と支持片４３との間を締結しないようになされている。そのため、調整ボルト５を回動させると、この調整ボルト５に螺合した突出片３５のみが、固定部材４に対して矢符Ａ方向または矢符Ｂ方向にスライド移動可能となる。したがって、この梁固定用金具２は、調整ボルト５を回動させることで、固定部材４に対して金具本体３を、矢符Ａ方向または矢符Ｂ方向にスライド移動させて出入り調整できるようになされている。
【００２１】
次に、この梁固定用金具２によって断熱下地材１を梁６上に固定する施工方法について説明する。
【００２２】
まず、梁固定用金具２を梁６の上側のフランジ部６１に固定する。この固定は、梁固定用金具２の固定部材４の固定片４１および支持片４３と挟持片４４との間に、ラーメン柱６のフランジ部６１を噛み込ませるようにしてハンマ（図示省略）などで打ち込む。
【００２３】
ついで、この梁固定用金具２の金具本体３に断熱下地材１を嵌め込ませて、金具本体３の釘孔３４から釘７を打ち付けることによって木製下地材１１と金具本体３とを固定する。この際、断熱下地材１は、必要に応じた適宜の長さに切断して使用する。また、断熱下地材１は、二本の板材１４の間に複数の束材１５を連結して木製下地材１１を構成しているので、図１に示すように、この木製下地材１１の下側の板材１４の部分を切断することで、梁６に突出したボルト６２などの障害物を避けて施工することができる。
【００２４】
そして、調整ボルト５の回動具合を調整することによって、固定部材４に対して金具本体３を、矢符Ａ方向または矢符Ｂ方向にスライド移動させて出入り調整を行う。この出入り調整により、梁６に固定された断熱下地材１の位置決めを行って施工を完了する。
【００２５】
このようにして施工された断熱下地材１の施工構造は、例えば、図６に示すように、床面１０を構成することができない二階吹き抜け部などの空洞１０ａとなった梁６の部分で実施される。この施工状態で、梁固定用金具２と断熱下地材１との合計の高さは、床面１０の厚みに相当するようになされ、断熱下地材１の上端面は、床面１０と面一となされる。図７は、この断熱下地材１に断熱内壁パネル８を施工した断面を示している。断熱内壁パネル８は、矩形に枠組みされた木製下地枠８１の外面側に防湿シート８２が貼設されるとともに、この防湿シート８２の外面側であって、木製下地枠８１の枠外に、断熱材８３を貼設して構成されている。この断熱内壁パネル８の下端部は、木製下地枠８１の枠内から断熱下地材１の上側の板材１４に釘７を打ちつけることによって固定される。また、断熱内壁パネル８の上端部は、梁固定用金具２によって固定する。この場合、梁固定用金具２は、上記断熱下地材１を固定した時とは上下逆に、ラーメン柱６の下側のフランジ部６１に固定して使用する。
【００２６】
この施工構造によると、梁固定用金具１の調整ボルト５の回動具合を調整することによって、断熱下地材１の出入り調整が行えるので、断熱下地材１を、梁６の直下に正しい建ち位置で施工することができる。また、施工完了状態で、断熱下地材１と梁６のと間は、通常、梁固定用金具１が取り付けられるために間隙を生じることとなるが、断熱下地材１は、木製下地材１１の下側の板材１４から、下方にはみ出すように断熱材１３を設けているため、間隙を部分を断熱材１３で塞いだ状態とすることができる。したがって、梁６の上方から断熱内壁パネル８までの間に熱橋が形成されることが無く、優れた断熱効果を保つことができる。この断熱下地材１の断熱材１３は、木製下地材１１の外面側に貼設しているため、木製下地材１１の枠内に納めるといったことを考えることなく、自由な幅や厚みのものを貼設することができるので、一般地域や寒冷地域などの断熱地域区分に簡単に対応することができる。
【００２７】
なお、本実施の形態では、断熱下地１の施工構造を実施する場所として二階吹き抜け部について述べているが、バスコア部、エレベーター部、玄関部、など、床面１０が無く空洞１０ａとなった梁６の部分であれば、有効に実施することができる。
【００２８】
また、本実施の形態では、梁６のフランジ部６１に梁固定用金具２によって断熱下地材１を施工する場合について述べているが、図８に示すように、基礎９の木根太９１上に断熱下地材１を施工する場合であっても良い。この場合、断熱下地材１は、二本の板材１４の間に複数の束材１５を連結して木製下地材１１を構成しているので、この木製下地材１１の上側の板材１４の部分を部分的に切断し、この切断箇所の上方から釘７を打ちつけることによって、下側の板材１４の部分を木根太９１に固定することができる。
【００２９】
さらに、本実施の形態では、断熱下地材１は、２ｍの長さに形成され、２５０ｍｍ間隔で切断し易く構成されているが、特に２ｍの長さに限定されるものではなく、また、２５０ｍｍの間隔で切断し易く構成したものに限定されるものではない。また、断熱下地材１の木製下地材１１の部分が鋼製のものであっても良い。
【００３０】
さらに、この施工構造で使用される梁固定用金具１としては、金具本体３に断熱下地材１を固定し、固定部材４を梁６のフランジ部６１に固定し、この金具本体３と固定部材４との位置調整をすることができるように構成されたものであれば、特にこのような形状のものに限定されるものではなく、各種形状のものを使用することができる。
【００３１】
さらに、本実施の形態では、木製下地枠８１の外面側に防湿シート８２および断熱材８３を貼設した断熱内壁パネル８を固定するようになされているが、この断熱内壁パネル８としては、パネル状に形成されたものであれば、特に限定されるものではなく、各種構成の断熱内壁パネル８を使用することができる。また、木製下地枠８１の部分が、鋼製のものであっても良い。
【００３２】
【発明の効果】
以上述べたように、本発明によると、調整ボルトの回動具合を調整することで、梁上における断熱内壁パネルの正しい施工位置に断熱下地材を固定することができる。また、この断熱下地材は、木製下地材の外面側に放湿シートを貼設し、この防湿シートの外面側であって、木製下地材の枠外に断熱材を貼設したものであるため、断熱下地材上に施工される断熱内壁パネル同様に優れた断熱効果を得ることかできる。
【図面の簡単な説明】
【図１】断熱下地の施工構造の全体構成の概略を示す部分拡大正面図である。
【図２】図１におけるＩ−Ｉ線断面図である。
【図３】断熱下地材の全体構成の概略を示す分解斜視図である。
【図４】（ａ）ないし（ｃ）は、断熱下地材を示す平面図、側面図、正面図である。
【図５】（ａ）および（ｂ）は、梁固定用金具を示す正面図および同正面図のＶ−Ｖ線断面図である。
【図６】断熱下地材の施工構造による二階吹き抜け部の概略を示す斜視図である。
【図７】断熱下地材に断熱内壁パネルを施工した状態を示す断面図である。
【図８】（ａ）および（ｂ）は、請求項２に係る断熱下地材の施工構造を示す部分正面図および断面図である。
【図９】従来の断熱内壁パネルを下地の無い梁上に施工した状態を示す断面図である。
【符号の説明】
１  断熱下地材
１１  木製下地材
１２  防湿シート
１３  断熱材
２  梁固定用金具
３  金具本体
４  固定部材
４３  噛合部
５  調整ボルト
６  梁
６１  フランジ部
８  断熱内壁パネル
９  基礎
９１  木根太
【図１】
0003557332.tif 000002
【図２】
0003557332.tif 000003
【図３】
0003557332.tif 000004
【図４】
0003557332.tif 000005
【図５】
0003557332.tif 000006
【図６】
0003557332.tif 000007
【図７】
0003557332.tif 000008
【図８】
0003557332.tif 000009
【図９】
0003557332.tif 000010